(57)【要約】  【課題】  特殊な治具を用いたり、アクチュエータベースを取り外さなくても、着脱可能なアクチュエータカバーを有する光ヘッド及びこれを用いた光ディスク装置を提供する。  【解決手段】  第１突出部２１１に形成される位置決めボス２４１は、第１突出部２１１の突出方向と直行する方向に傾斜し、第１突出部２１１の中央に１個、第２突出部２１２に形成される位置決めボス２４２アクトカバー５の取り付け方向に広がるように傾斜して２個形成されている。【選択図】      図３
0003111412.tif 000002
【実用新案登録請求の範囲】
【請求項１】
回転している円盤状の光ディスクにレーザ光を照射することで、データの記録、読出を
行う光ディスク装置であって、
前記光ディスクを回転させるスピンドルモータと、前記光ディスクに対してレーザ光を
照射する光ヘッドと、信号を処理するための信号処理装置と、前記光ヘッドにて検出され
前記信号処理装置にて復号化された信号を外部の映像表示部に接続するための外部接続部
と、制御部とを備えており、
前記光ヘッドはベースと、前記レーザ光源より照射されたレーザ光を反射するミラーと
、前記ミラーにて反射されたレーザ光を平行光にするコリメータレンズと、前記光ディス
クで反射した光を分光するビームスプリッタと、光を受光する受光素子と、前記レーザ光
を前記光ディスクに照射するための対物レンズを保持するアクチュエータとを有しており
、
前記アクチュエータは、アクトベースと前記対物レンズを保持するレンズホルダと、前
記レンズホルダを支持するための支持部と、前記支持部に固定されるとともに前記レンズ
ホルダを弾性支持する直線状に形成されたワイヤーばねと、前記レンズホルダを挟んで配
置される一対の突出部と、前記突出部に取り付けられ前記レンズホルダ内部に磁界を発生
させるための永久磁石と、前記突出部と係合し、前記レンズホルダを覆うアクトカバーと
を有しており、
前記レンズホルダは、該レンズホルダを前記光ディスクのディスク面に対して垂直方向
に動かすためのフォーカシングコイルと、平行する方向に移動するためのトラッキングコ
イルと、傾き方向に移動するためのチルトコイルとを有しており、
前記突出部は前記アクトカバーと係合し該アクトカバーの位置決めを行う位置決めボス
を有しており、
前記アクトカバーは突出部と係合する係合部と、前記レーザホルダの上部に配置され、
レーザ光が通過する貫通孔を有するカバー部と、前記係合部に形成され前記突出部の位置
決めボスと係合する係合孔と、前記突出部及び前記突出部に取り付けられた永久磁石に接
触する弾性部とを有しており、
前記位置決めボスは傾斜しており、前記支持部側の突出部に形成された位置決めボスは
ディスク面と平行な方向に広がるように１個形成されており、他方の突出部に形成された
位置決めボスはディスク面に対して垂直な方向に遠ざかるに従って広がるように２個形成
されていることを特徴とする光ディスク装置。
【請求項２】
回転している円盤状の光ディスクに光ヘッドにてレーザ光を照射することで、データの
記録、読出を行う光ディスク装置であって、
前記光ヘッドは前記レーザ光を前記光ディスクに照射するための対物レンズを保持する
アクチュエータとを有しており、
前記アクチュエータは、アクトベースと前記対物レンズを保持するレンズホルダと、前
記レンズホルダを挟んで配置される突出部と、前記突出部に取り付けられ前記レンズホル
ダ内部に磁界を発生させるための永久磁石と、前記突出部と係合し、前記レンズホルダを
覆うアクトカバーとを有しており、
前記突出部は前記アクトカバーと係合し該アクトカバーの位置決めを行う位置決めボス
を有しおり、
前記アクトカバーは突出部と係合する係合部と、前記レーザホルダの上部に配置され、
レーザ光が通過する貫通孔を有するカバー部と、前記係合部に形成され前記突出部の位置
決めボスと係合する係合孔と、前記突出部及び前記突出部に取り付けられた永久磁石に接
触する弾性部とを有しており、
前記位置決めボスは傾斜しており、前記一方の突出部に形成された位置決めボスはディ
スク面に対して垂直な方向に遠ざかるに従って広がるように１又は複数個形成されており
、他方の突出部に形成された位置決めボスはディスク面と平行な方向に広がるように形成
されていることを特徴とする光ディスク装置。
【請求項３】
回転している円盤状の光ディスクに光ヘッドにてレーザ光を照射することで、データの
記録、読出を行う光ディスク装置であって、
前記光ヘッドは前記レーザ光を前記光ディスクに照射するための対物レンズを保持する
アクチュエータとを有しており、
前記アクチュエータは、アクトベースと前記対物レンズを保持するレンズホルダと、前
記レンズホルダを挟んで配置される一対の突出部と、前記突出部に取り付けられ前記レン
ズホルダ内部に磁界を発生させるための永久磁石と、前記突出部と係合し、前記レンズホ
ルダを覆うアクトカバーとを有しており、
前記突出部は前記アクトカバーと係合し該アクトカバーの位置決めを行う位置決めボス
を有しており、
前記アクトカバーは突出部と係合する係合部と、前記レーザホルダの上部に配置され、
レーザ光が通過する貫通孔を有するカバー部と、前記係合部に形成され前記突出部の位置
決めボスと係合する係合孔と、前記突出部及び前記突出部に取り付けられた永久磁石に接
触する弾性部とを有しており、
前記位置決めボスは傾斜しており、前記支持部側の突出部に形成された位置決めボスは
ディスク面と平行な方向に広がるように形成されており、他方の突出部に形成された位置
決めボスはディスク面に対して垂直な方向に遠ざかるに従って広がるように１個又は複数
個形成されていることを特徴とする光ディスク装置。
【請求項４】
回転している円盤状の光ディスクにレーザ光を照射する光ヘッドにおいて、
前記光ヘッドはベースと、前記レーザ光源より照射されたレーザ光を反射するミラーと
、前記ミラーにて反射されたレーザ光を平行光にするコリメータレンズと、前記光ディス
クで反射した光を分光するビームスプリッタと、光を受光する受光素子と、前記レーザ光
を前記光ディスクに照射するための対物レンズを保持するアクチュエータとを有しており
、
前記アクチュエータは、アクトベースと前記対物レンズを保持するレンズホルダと、前
記レンズホルダを支持するための支持部と、前記支持部に固定されるとともに前記レンズ
ホルダを弾性支持する直線状に形成されたワイヤーばねと、前記レンズホルダを挟んで配
置される一対の突出部と、前記突出部に取り付けられ前記レンズホルダ内部に磁界を発生
させるための永久磁石と、前記突出部と係合し、前記レンズホルダを覆うアクトカバーと
を有しており、
前記レンズホルダは、該レンズホルダを前記光ディスクのディスク面に対して垂直方向
に動かすためのフォーカシングコイルと、平行する方向に移動するためのトラッキングコ
イルと、傾き方向に移動するためのチルトコイルとを有しており、
前記突出部は前記アクトカバーと係合し該アクトカバーの位置決めを行う位置決めボス
を有しており、
前記アクトカバーは突出部と係合する係合部と、前記レーザホルダの上部に配置され、
レーザ光が通過する貫通孔を有するカバー部と、前記係合部に形成され前記突出部の位置
決めボスと係合する係合孔と、前記突出部及び前記突出部に取り付けられた永久磁石に接
触する弾性部とを有しており、
前記位置決めボスは傾斜しており、前記支持部側の突出部に形成された位置決めボスは
ディスク面と平行な方向に広がるように１個形成されており、他方の突出部に形成された
位置決めボスはディスク面に対して垂直な方向に遠ざかるに従って広がるように２個形成
されていることを特徴とする光ヘッド。
【請求項５】
回転している円盤状の光ディスクにレーザ光を照射する光ヘッドであって、
前記光ヘッドは前記レーザ光を前記光ディスクに照射するための対物レンズを保持する
アクチュエータとを有しており、
前記アクチュエータは、アクトベースと前記対物レンズを保持するレンズホルダと、前
記レンズホルダを挟んで配置される一対の突出部と、前記突出部に取り付けられ前記レン
ズホルダ内部に磁界を発生させるための永久磁石と、前記突出部と係合し、前記レンズホ
ルダを覆うアクトカバーとを有しており、
前記突出部は前記アクトカバーと係合し該アクトカバーの位置決めを行う位置決めボス
を有しており、
前記アクトカバーは突出部と係合する係合部と、前記レーザホルダの上部に配置され、
レーザ光が通過する貫通孔を有するカバー部と、前記係合部に形成され前記突出部の位置
決めボスと係合する係合孔と、前記突出部及び前記突出部に取り付けられた永久磁石に接
触する弾性部とを有しており、
前記位置決めボスは傾斜しており、前記一方の突出部に形成された位置決めボスはディ
スク面に対して垂直な方向に遠ざかるに従って広がるように１又は複数個形成されており
、他方の突出部に形成された位置決めボスはディスク面と平行な方向に広がるように形成
されていることを特徴とする光ヘッド。
【請求項６】
回転している円盤状の光ディスクにレーザ光を照射する光ヘッドであって、
前記光ヘッドは前記レーザ光を前記光ディスクに照射するための対物レンズを保持する
アクチュエータとを有しており、
前記アクチュエータは、アクトベースと前記対物レンズを保持するレンズホルダと、前
記レンズホルダを挟んで配置される一対の突出部と、前記突出部に取り付けられ前記レン
ズホルダ内部に磁界を発生させるための永久磁石と、前記突出部と係合し、前記レンズホ
ルダを覆うアクトカバーとを有しており、
前記突出部は前記アクトカバーと係合し該アクトカバーの位置決めを行う位置決めボス
を有しており、
前記アクトカバーは突出部と係合する係合部と、前記レーザホルダの上部に配置され、
レーザ光が通過する貫通孔を有するカバー部と、前記係合部に形成され前記突出部の位置
決めボスと係合する係合孔と、前記突出部及び前記突出部に取り付けられた永久磁石に接
触する弾性部とを有しており、
前記位置決めボスは傾斜しており、前記支持部側の突出部に形成された位置決めボスは
ディスク面と平行な方向に広がるように形成されており、他方の突出部に形成された位置
決めボスはディスク面に対して垂直な方向に遠ざかるに従って広がるように１個又は複数
個形成されていることを特徴とする光ヘッド。
【考案の詳細な説明】
【技術分野】
【０００１】
本考案は、光ディスクにレーザ光を照射することで、該光ディスクからデータを読み出
す及び（又は）光ディスクにデータを書き込む光ヘッドとこれを用いた光ディスク装置に
関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図２に光ヘッドの配置図を示す。図２に示す光ヘッドはそれには限定されないがここで
は、光ディスクに記録されているデータを読出す読出し専用の光ヘッドである。図２に示
すようにレーザ光源Ｌｄと、ミラーＭｒと、コリメータレンズＬｃと、対物レンズＬｂと
、ビームスプリッタＢｓと、受光素子Ｐｄとを有している。レーザ光源Ｌｄより照射され
たレーザ光はミラーＭｒで反射されてコリメータレンズＬｃに入射する。コリメータレン
ズＬｃに入射したレーザ光は平行光として出射され対物レンズＬｂに入射する。対物レン
ズＬｂに入射したレーザ光はＤＶＤメディアＤｓの記録面に照射される。対物レンズＬｂ
はアクチュエータ９１に配置されている。
【０００４】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。光ディスクにデータを記録することので
きる光ヘッドも基本的に同様の構成である。
【０００５】
図９に従来の光ヘッドに用いられるアクチュエータの平面図を、図１０に従来のアクト
ベースの平面図を、図１１に図１０に示すアクトベースの正面図を示す。図９に示すアク
チュエータ９１は、対物レンズＬｂを保持するレンズホルダ９２と、レンズホルダが取り
付けられるアクトベース９３とを有している。アクトベース９３は一対の突出部９３１を
有しており、一対の突出部９３１の間にレンズホルダ９２が配置される。
【０００６】
図１０、図１１に示すように突出部９３１には永久磁石９３２が配置されており、レン
ズホルダ９２には永久磁石９３２によって磁界が作用している。さらに、一対の突出部９
３１と係合し、レンズホルダ９２を覆うように配置されたアクトカバー９４が取り付けら
れている。突出部９３１のレンズホルダ９２と反対側にはアクトカバー９４の後述する係
合孔９４５と係合し、アクトカバー９４の位置決めを行うための位置決めボス９３３が形
成されている。位置決めボス９３３は直方体形状を有している。
【０００７】
レンズホルダ９２には、光ディスクに対して垂直方向に移動させるフォーカシング、光
ディスクの半径方向に移動させるトラッキング、光ディスクに対して傾けるチルトを行う
ためのコイル９２１、９２２、９２３が形成されている。コイル９２１、９２２、９２３
には一定の磁界が作用しており、この状態でコイル９２１、９２２、９２３に電流を流す
ことで、レンズホルダ９２を駆動して、フォーカシング、トラッキング、チルトを行う。
【０００８】
レンズホルダ９２はアクトベース９１に設けられた支持部９５に、金属性のワイヤーば
ね９５１を介して支持されている。ワイヤーばね９５１はレンズホルダ９２を支持すると
ともに、コイル９２１、９２２、９２３に電流を流す送電線としても利用されている。ワ
イヤーばね９５１はレンズホルダ９２の両側面に配置されており、レンズホルダ９２の側
面にはんだ付けにて取り付けられてレンズホルダ９２を弾性支持している。
【０００９】
図９に示すようにアクトカバー９４はレンズホルダ９２の上面を覆うカバー部９４１と
、アクトベース９３の突出部９３１と係合する係合部９４２とを有している。カバー部９
４１にはレーザ貫通孔９４３が形成されており、レンズホルダ９２に備えられた対物レン
ズＬｂより出射したレーザ光が透過し、光ディスクに照射するためのものである。また、
カバー部９４１は切曲げられて弾性部９４４を形成している。弾性部９４４は突出部９３
１に配置された永久磁石９３２と接触する形状で形成されている。係合部９４２は突出部
９３１に形成された位置決めボス９３３が貫通し係合する係合孔９４５とを有している。
【００１０】
アクチュエータカバー９４は上部より押し込むことで取り付けられる。このとき、アク
トカバー９４は弾性的に変形することで、係合孔９４５と位置決めボス９３３とを係合し
て位置決め、抜けとめを行いつつ取り付けることができる。
（特開２００４−６３０３１号公報、特開２００３−１２３２９７号公報、特開２０００
−２５１２９８号公報参照）
【特許文献１】特開２００４−６３０３１号公報
【特許文献２】特開２００３−１２３２９７号公報
【特許文献２】特開２０００−２５１２９８号公報
【考案の開示】
【考案が解決しようとする課題】
【００１１】
しかしながら、突出部９３１に形成された位置決めボス９３３を係合部９４２の係合孔
９４５と係合することで、位置決め、抜けとめを行うので、取り付けるのは取り付けやす
いが、取り外すときはアクトベース９３の底面側よりドライバ等の工具を挿入したり、特
殊な治具を用いたりして位置決めボス９３３と係合孔９４５の係合をはずさなくてはなら
ない。
【００１２】
このアクトカバー９４を用いるものの場合、設計変更やメンテナンスのためにアクトカ
バー９４をはずすのに、特殊治具を用いなくてはならない。また、特殊治具がない場合、
アクトベース９４の底面側からドライバ等を挿入しなくてはならないので、アクトベース
９４を光ヘッドから取り外さなさなくてはならず、非常に手間がかかる。特許文献１〜３
に示した発明も同様の問題を有している。
【００１３】
そこで本考案は、特殊な治具を用いたり、アクチュエータベースを取り外さなくても、
着脱可能なアクチュエータカバーを有する光ヘッド及びこれを用いた光ディスク装置を提
供することを目的とする。
【課題を解決するための手段】
【００１４】
上記目的を達成するために本考案は、回転している円盤状の光ディスクにレーザ光を照
射することで、データの記録、読出を行う光ディスク装置であって、前記光ディスクを回
転させるスピンドルモータと、前記光ディスクに対してレーザ光を照射する光ヘッドと、
信号を処理するための信号処理装置と、前記光ヘッドにて検出され前記信号処理装置にて
復号化された信号を外部の映像表示部に接続するための外部接続部と、制御部とを備えて
おり、前記光ヘッドはベースと、前記レーザ光源より照射されたレーザ光を反射するミラ
ーと、前記ミラーにて反射されたレーザ光を平行光にするコリメータレンズと、前記光デ
ィスクで反射した光を分光するビームスプリッタと、光を受光する受光素子と、前記レー
ザ光を前記光ディスクに照射するための対物レンズを保持するアクチュエータとを有して
おり、前記アクチュエータは、アクトベースと前記対物レンズを保持するレンズホルダと
、前記レンズホルダを支持するための支持部と、前記支持部に固定されるとともに前記レ
ンズホルダを弾性支持する直線状に形成されたワイヤーばねと、前記レンズホルダを挟ん
で配置される一対の突出部と、前記突出部に取り付けられ前記レンズホルダ内部に磁界を
発生させるための永久磁石と、前記突出部と係合し、前記レンズホルダを覆うアクトカバ
ーとを有しており、前記レンズホルダは、該レンズホルダを前記光ディスクのディスク面
に対して垂直方向に動かすためのフォーカシングコイルと、平行する方向に移動するため
のトラッキングコイルと、傾き方向に移動するためのチルトコイルとを有しており、前記
突出部は前記アクトカバーと係合し該アクトカバーの位置決めを行う位置決めボスを有し
ており、前記アクトカバーは突出部と係合する係合部と、前記レーザホルダの上部に配置
され、レーザ光が通過する貫通孔を有するカバー部と、前記係合部に形成され前記突出部
の位置決めボスと係合する係合孔と、前記突出部及び前記突出部に取り付けられた永久磁
石に接触する弾性部とを有しており、前記位置決めボスは傾斜しており、前記支持部側の
突出部に形成された位置決めボスはディスク面と平行な方向に広がるように１個形成され
ており、他方の突出部に形成された位置決めボスはディスク面に対して垂直な方向に遠ざ
かるに従って広がるように２個形成されていることを特徴とする。
【００１５】
この構成によると、前記レンズホルダを覆う前記アクトカバーをアクトベースの着脱を
行うことなく、該アクトカバーの弾性変形を利用して着脱することができる。また、特殊
な工具及び治具を用いることなく、前記アクトカバーの着脱を行うことができる。
【００１６】
前記支持部側の突出部に形成された位置決めボスをディスク面と平行な方向に広がるよ
うに形成しており、アクセスしにくいボスを上述のように形成しているので、前記アクト
カバーの着脱に手間がかからない。
【００１７】
上記目的を達成するために本考案は、回転している円盤状の光ディスクに光ヘッドにて
レーザ光を照射することで、データの記録、読出を行う光ディスク装置であって、前記光
ヘッドは前記レーザ光を前記光ディスクに照射するための対物レンズを保持するアクチュ
エータとを有しており、前記アクチュエータは、アクトベースと前記対物レンズを保持す
るレンズホルダと、前記レンズホルダを挟んで配置される突出部と、前記突出部に取り付
けられ前記レンズホルダ内部に磁界を発生させるための永久磁石と、前記突出部と係合し
、前記レンズホルダを覆うアクトカバーとを有しており、前記突出部は前記アクトカバー
と係合し該アクトカバーの位置決めを行う位置決めボスを有しており、前記アクトカバー
は突出部と係合する係合部と、前記レーザホルダの上部に配置され、レーザ光が通過する
貫通孔を有するカバー部と、前記係合部に形成され前記突出部の位置決めボスと係合する
係合孔と、前記突出部及び前記突出部に取り付けられた永久磁石に接触する弾性部とを有
しており、前記位置決めボスは傾斜しており、前記一方の突出部に形成された位置決めボ
スはディスク面に対して垂直な方向に遠ざかるに従って広がるように１又は複数個形成さ
れており、他方の突出部に形成された位置決めボスはディスク面と平行な方向に広がるよ
うに形成されていることを特徴とする。
【００１８】
この構成によると、前記レンズホルダを覆う前記アクトカバーをアクトベースの着脱を
行うことなく、該アクトカバーの弾性変形を利用して着脱することができる。また、特殊
な工具及び治具を用いることなく、前記アクトカバーの着脱を行うことができる。
【００１９】
上記目的を達成するために本考案は、回転している円盤状の光ディスクに光ヘッドにて
レーザ光を照射することで、データの記録、読出を行う光ディスク装置であって、前記光
ヘッドは前記レーザ光を前記光ディスクに照射するための対物レンズを保持するアクチュ
エータとを有しており、前記アクチュエータは、アクトベースと前記対物レンズを保持す
るレンズホルダと、前記レンズホルダを挟んで配置される一対の突出部と、前記突出部に
取り付けられ前記レンズホルダ内部に磁界を発生させるための永久磁石と、前記突出部と
係合し、前記レンズホルダを覆うアクトカバーとを有しており、前記突出部は前記アクト
カバーと係合し該アクトカバーの位置決めを行う位置決めボスを有しており、前記アクト
カバーは突出部と係合する係合部と、前記レーザホルダの上部に配置され、レーザ光が通
過する貫通孔を有するカバー部と、前記係合部に形成され前記突出部の位置決めボスと係
合する係合孔と、前記突出部及び前記突出部に取り付けられた永久磁石に接触する弾性部
とを有しており、前記位置決めボスは傾斜しており、前記支持部側の突出部に形成された
位置決めボスはディスク面と平行な方向に広がるように形成されており、他方の突出部に
形成された位置決めボスはディスク面に対して垂直な方向に遠ざかるに従って広がるよう
に１個又は複数個形成されていることを特徴とする。
【００２０】
この構成によると、前記レンズホルダを覆う前記アクトカバーをアクトベースの着脱を
行うことなく、該アクトカバーの弾性変形を利用して着脱することができる。また、特殊
な工具及び治具を用いることなく、前記アクトカバーの着脱を行うことができる。
【００２１】
前記支持部側の突出部に形成された位置決めボスをディスク面と平行な方向に広がるよ
うに形成しており、アクセスしにくいボスを上述のように形成しているので、前記アクト
カバーの着脱に手間がかからない。
【００２２】
上記目的を達成するために本考案は、回転している円盤状の光ディスクにレーザ光を照
射する光ヘッドであって、前記光ヘッドはベースと、前記レーザ光源より照射されたレー
ザ光を反射するミラーと、前記ミラーにて反射されたレーザ光を平行光にするコリメータ
レンズと、前記光ディスクで反射した光を分光するビームスプリッタと、光を受光する受
光素子と、前記レーザ光を前記光ディスクに照射するための対物レンズを保持するアクチ
ュエータとを有しており、前記アクチュエータは、アクトベースと前記対物レンズを保持
するレンズホルダと、前記レンズホルダを支持するための支持部と、前記支持部に固定さ
れるとともに前記レンズホルダを弾性支持する直線状に形成されたワイヤーばねと、前記
レンズホルダを挟んで配置される一対の突出部と、前記突出部に取り付けられ前記レンズ
ホルダ内部に磁界を発生させるための永久磁石と、前記突出部と係合し、前記レンズホル
ダを覆うアクトカバーとを有しており、前記レンズホルダは、該レンズホルダを前記光デ
ィスクのディスク面に対して垂直方向に動かすためのフォーカシングコイルと、平行する
方向に移動するためのトラッキングコイルと、傾き方向に移動するためのチルトコイルと
を有しており、前記突出部は前記アクトカバーと係合し該アクトカバーの位置決めを行う
位置決めボスを有しており、前記アクトカバーは突出部と係合する係合部と、前記レーザ
ホルダの上部に配置され、レーザ光が通過する貫通孔を有するカバー部と、前記係合部に
形成され前記突出部の位置決めボスと係合する係合孔と、前記突出部及び前記突出部に取
り付けられた永久磁石に接触する弾性部とを有しており、前記位置決めボスは傾斜してお
り、前記支持部側の突出部に形成された位置決めボスはディスク面と平行な方向に広がる
ように１個形成されており、他方の突出部に形成された位置決めボスはディスク面に対し
て垂直な方向に遠ざかるに従って広がるように２個形成されていることを特徴とする。
【００２３】
この構成によると、前記レンズホルダを覆う前記アクトカバーをアクトベースの着脱を
行うことなく、該アクトカバーの弾性変形を利用して着脱することができる。また、特殊
な工具及び治具を用いることなく、前記アクトカバーの着脱を行うことができる。
【００２４】
前記支持部側の突出部に形成された位置決めボスをディスク面と平行な方向に広がるよ
うに形成しており、アクセスしにくいボスを上述のように形成しているので、前記アクト
カバーの着脱に手間がかからない。
【００２５】
上記目的を達成するために本考案は、回転している円盤状の光ディスクにレーザ光を照
射する光ヘッドであって、前記光ヘッドは前記レーザ光を前記光ディスクに照射するため
の対物レンズを保持するアクチュエータとを有しており、前記アクチュエータは、アクト
ベースと前記対物レンズを保持するレンズホルダと、前記レンズホルダを挟んで配置され
る一対の突出部と、前記突出部に取り付けられ前記レンズホルダ内部に磁界を発生させる
ための永久磁石と、前記突出部と係合し、前記レンズホルダを覆うアクトカバーとを有し
ており、前記突出部は前記アクトカバーと係合し該アクトカバーの位置決めを行う位置決
めボスを有しており、前記アクトカバーは突出部と係合する係合部と、前記レーザホルダ
の上部に配置され、レーザ光が通過する貫通孔を有するカバー部と、前記係合部に形成さ
れ前記突出部の位置決めボスと係合する係合孔と、前記突出部及び前記突出部に取り付け
られた永久磁石に接触する弾性部とを有しており、前記位置決めボスは傾斜しており、前
記一方の突出部に形成された位置決めボスはディスク面に対して垂直な方向に遠ざかるに
従って広がるように１又は複数個形成されており、他方の突出部に形成された位置決めボ
スはディスク面と平行な方向に広がるように形成されていることを特徴とする。
【００２６】
この構成によると、前記レンズホルダを覆う前記アクトカバーをアクトベースの着脱を
行うことなく、該アクトカバーの弾性変形を利用して着脱することができる。また、特殊
な工具及び治具を用いることなく、前記アクトカバーの着脱を行うことができる。
【００２７】
上記目的を達成するために本考案は、回転している円盤状の光ディスクにレーザ光を照
射する光ヘッドであって、前記光ヘッドは前記レーザ光を前記光ディスクに照射するため
の対物レンズを保持するアクチュエータとを有しており、前記アクチュエータは、アクト
ベースと前記対物レンズを保持するレンズホルダと、前記レンズホルダを挟んで配置され
る一対の突出部と、前記突出部に取り付けられ前記レンズホルダ内部に磁界を発生させる
ための永久磁石と、前記突出部と係合し、前記レンズホルダを覆うアクトカバーとを有し
ており、前記突出部は前記アクトカバーと係合し該アクトカバーの位置決めを行う位置決
めボスを有しており、前記アクトカバーは突出部と係合する係合部と、前記レーザホルダ
の上部に配置され、レーザ光が通過する貫通孔を有するカバー部と、前記係合部に形成さ
れ前記突出部の位置決めボスと係合する係合孔と、前記突出部及び前記突出部に取り付け
られた永久磁石に接触する弾性部とを有しており、前記位置決めボスは傾斜しており、前
記支持部側の突出部に形成された位置決めボスはディスク面と平行な方向に広がるように
形成されており、他方の突出部に形成された位置決めボスはディスク面に対して垂直な方
向に遠ざかるに従って広がるように１個又は複数個形成されていることを特徴とする光ヘ
ッド。
【００２８】
この構成によると、前記レンズホルダを覆う前記アクトカバーをアクトベースの着脱を
行うことなく、該アクトカバーの弾性変形を利用して着脱することができる。また、特殊
な工具及び治具を用いることなく、前記アクトカバーの着脱を行うことができる。
【００２９】
前記支持部側の突出部に形成された位置決めボスをディスク面と平行な方向に広がるよ
うに形成しており、アクセスしにくいボスを上述のように形成しているので、前記アクト
カバーの着脱に手間がかからない。
【考案の効果】
【００３０】
本考案によると、前記レンズホルダを覆う前記アクトカバーをアクトベースの着脱を行
うことなく、該アクトカバーの弾性変形を利用して着脱することができる。また、特殊な
工具及び治具を用いることなく、前記アクトカバーの着脱を行うことができる。このこと
により、光ヘッドの設計、製造及び調整等でアクトカバーを取り外すときにかかる手間を
大幅に低減することが可能である。
【００３１】
これにより、特殊な治具を用いたり、アクチュエータベースを取り外さなくても、着脱
可能なアクチュエータカバーを有する光ヘッド及びこれを用いた光ディスク装置を提供す
ることができる。
【００３２】
またアクトカバーを取り外すのにかかる時間を短縮し、手間を省略することができるの
で、製造に必要な装置の小型化をすることができる。また、時間、手間を削減することが
できるので、製造効率が高くそれだけ、製造、調整にかかるコストを低減することが可能
である。
【考案を実施するための最良の形態】
【００３３】
以下に本考案の実施形態を図面を参照して説明する。図１に本考案にかかる光ディスク
装置の配置図を示す。図１に示す光ディスク装置は、それには限定されないがここではＤ
ＶＤプレーヤである。図１に示すＤＶＤプレーヤＰＬは、ＤＶＤメディアＤｓを回転させ
るスピンドルモータＳｐと、ＤＶＤメディアＤｓにレーザ光を照射し情報を読出す光ヘッ
ドＡと、光ヘッドＡで検出された信号を復号化するデコーダＤｃと、外部の表示装置であ
るモニタＭｎに接続するための外部接続部Ｏｃと、制御部Ｃｏｎｔとを備えている。光ヘ
ッドＡはレーザ光の光軸を調整するアクチュエータ１を有している。
【００３４】
ＤＶＤプレーヤＰＬは制御部Ｃｏｎｔによって制御されており、使用者よりＤＶＤを再
生する命令がなされると、まず、スピンドルモータＳｐを駆動しＤＶＤメディアＤｓを回
転させる。光ヘッドＡより回動しているＤＶＤメディアＤｓにレーザ光を照射し、その反
射光を光ヘッドＡで検出する。光ヘッドＡに備えられた後述の受光素子Ｐｄは検出した光
を電気信号に変換するものであり、電気信号はデコーダＤｃに送られ映像用の信号に復調
され、外部接続部Ｏｃを介してモニタＭｎに送られ、モニタＭｎに映像を表示する。
【００３５】
図２に光ヘッドの一例の配置図を示す。図２に示す光ヘッドＡは、従来と実質上同一の
構造を有している。すなわち、レーザ光源Ｌｄと、ミラーＭｒと、コリメータレンズＬｃ
と、対物レンズＬｂと、ビームスプリッタＢｓと、受光素子Ｐｄとを有している。レーザ
光源Ｌｄより照射されたレーザ光はミラーＭｒで反射され、コリメータレンズＬｃに入射
し、平行光に変化してコリメータレンズＬｃより出射する。コリメータレンズＬｃより出
射したレーザ光は対物レンズＬｂに入射し対物レンズＬｂよりＤＶＤメディアＤｓに照射
される。対物レンズＬｂは光ヘッドＡに備えられるアクチュエータ１に保持されている。
【００３６】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。上述の各部材へのレーザ光
の照射順序はこれに限定されるものではなく、可能な範囲で順序が入れ替わっているもの
であっても良い。
【００３７】
図３に本考案にかかる光ヘッドに用いられるアクチュエータの平面図を示す。・。図３
に示すアクチュエータ１はアクトベース２と、アクトベース２に配置され対物レンズＬｂ
を保持するレンズホルダ３と、レンズホルダ３を支持する支持部４と、前記レンズホルダ
３を覆うアクトカバー５と、支持部４とレンズホルダ３とに連結しレンズホルダ３を弾性
支持するワイヤーばね６とを有している。
【００３８】
図４に本発明にかかる光ヘッドに用いられるアクトベースの平面図を、図５に図４に示
すアクトベースの正面図を示す。図４に示すようにアクトベース２はアクトベース２より
対向して突出する一対の突出部２１（２１１、２１２）と、突出部２１に対向して取り付
けられる一対の永久磁石２２と、レーザ光が通過する貫通孔２３とを備えている。突出部
２１（２１１、２１２）の間にレンズホルダ３を貫通するヨーク７が形成されており、対
向する突出部２１（２１１、２１２）、すなわち、対向する永久磁石２２の間にレンズホ
ルダ３を配置する配置部が形成されている。アクトベース２の突出部２１（２１１、２１
２）は永久磁石２２が取り付けられるのと反対側に後述するアクトカバー５の係合孔５１
３と係合する位置決めボス２４（２４１、２４２）が形成されている。
【００３９】
レンズホルダ３には一対の永久磁石２２によって磁界が作用している。レンズホルダ３
はレンズホルダ３を光ディスクＤｓのディスク面に垂直な方向に駆動するフォーカシング
コイル３１と、レンズホルダ３を光ディスクＤｓの半径方向に駆動するトラッキングコイ
ル３２と、光ディスクＤｓに対して傾くように駆動するチルトコイル３３と、対物レンズ
Ｌｂを配置するためレンズ配置孔３０と、ヨーク７が貫通するヨーク孔３４とを有してい
る。
【００４０】
ワイヤーばね６はレンズホルダ３を弾性支持するとともにフォーカシングコイル３１、
トラッキングコイル３２及びチルトコイル３３に電力を供給する電力遷都しても用いられ
る。フォーカシングコイル３１、トラッキングコイル３２及びチルトコイル３３には永久
磁石２２による磁界が作用しており、各コイルに電流を流すことで電磁力により対物レン
ズＬｂを動かし、光ディスクＤｓのディスク面に形成されるレーザスポットの位置を調整
することができる。
【００４１】
図３に示すように、レンズホルダ３を覆うようにアクトカバー５を取り付けることで、
レンズホルダ３のフォーカシングコイル３１に過電流が流れて、光ディスクＤｓの配置方
向に強い力がかかっても、レンズホルダ３はアクトカバー５に接触して停止し、光ディス
クＤｓが傷つくのを防ぐことが可能である。
【００４２】
図４、図５に示すように、突出部２１はアクトベース２から突出しており、ここでは便
宜上図４中で左に示されている突出部を第１突出部２１１、右に示されている突出部を第
２突出部２１２と示す。第１突出部２１１に形成される位置決めボス２４１は、図４に示
すように、第１突出部２１１の突出方向と直行する方向に傾斜して形成されるものであり
、第１突出部２１１の中央に１個形成されている。
【００４３】
また、第２突出部２１２に形成される位置決めボス２４２は図５に示すようにアクトカ
バー５の取り付け方向に（図中下方に向かって）広がるように傾斜して２個形成されてい
る。第２突出部２１２に位置決めボス２４２が２個形成されていることで、位置決め精度
を高めることが可能である。
【００４４】
図６に本発明にかかる光ヘッドに用いられるアクトカバーの平面図を、図７に図６に示
すアクトカバーの正面図を示す。図６、図７に示すアクトカバー５は金属板を切曲げて形
成されるものであり、アクトベース２の突出部２１（２１１、２１２）と係合する係合部
５１と、レンズホルダ３を覆うカバー部５２と、カバー部５２を切曲げて形成される弾性
部５３と、レーザ光が通過するレーザ孔５４とを有している。
【００４５】
アクトカバー５の係合部５１はアクトベース２の第１突出部２１１と係合する第１係合
部５１１と、第２突出部２１２と係合する第２係合部５１２とを有している。第１係合部
５１２には第１突出部２１１に形成される位置決めボス２４１と係合するための１個の係
合孔５１３が形成されている。第２係合部５１２には第２突出部に形成されている位置決
めボス２４２と係合するための２個の係合孔５１３が形成されている。また、係合部５１
は両側部が折り曲げられて、突出部２１（２１１、２１２）の側部を覆うことができる側
部ガイド５５を有している。側部ガイド５５はレンズホルダ３が大きく動きすぎたときに
、ワイヤーばね６が突出部２１１に接触するのを防いでいる。
【００４６】
図８（Ａ）〜図８（Ｃ）にアクトベースにアクトカバーを着脱する手順の概略図を示す
。まずアクトベース２にアクトカバー５を取り付ける手順を説明する。アクトベース２に
アクトカバー５を取り付ける場合、第１突出部２１１に形成され
る位置決めボス２４１とアクトカバー５の第１係合部５１１の係合孔５１３を係合する。
このとき、アクトカバー５は弾性的に変形し第１突出部２１１と第１係合部５１１が係合
し、カバー部５２と第２係合部５１２が斜めに配置されている。
【００４７】
第２突出部２１２の位置決めボス２４２は下方に向かって傾斜する形状を有しているの
で、上より押さえつけることで第２係合部５１２が位置決めボス２４２によって押され拡
がり、係合孔５１３と係合するまで押すことで、位置決めボス２４２が係合孔５１３を貫
通する。この状態でアクトカバー５はアクトベース２に装着されている。このとき、カバ
ー部５２に形成された弾性部５３がアクトカバー３を持ち上げる方向に付勢するので、位
置決めボス２４１と係合孔５１３及び位置決めボス２４２と係合孔５１３とが強固に係合
するので、アクトカバー３がアクトベース２より外れるのを防ぐ。
【００４８】
図７（Ｂ）に示す状態で、アクトカバー５のカバー部５２を押す。カバー部５２を押す
ことで、弾性部５３が変形するとともに弾性部５３を支点としてカバー部５２がたわむ。
カバー部５２がたわむことで、第１係合部５１１及び第２係合部５１２が外側に膨らむ（
図７（Ｃ）参照）。第１係合部５１１の係合孔５１３と第１突出部２１１の位置決めボス
２４１との係合が浅くなる。この状態で、アクトカバー５を第１突出部２１１に形成され
た位置決めボス２４１が広がる方向（図３中反時計回り）に回動させることで、第１係合
部５１１に形成された係合孔５１３と第１突出部２１１に形成された位置決めボス２４１
とが外れる。その後、第２係合部５１２の係合孔５１３と第２突出部２１２の位置決めボ
ス２４２とを外すことで、アクトベース２よりアクトカバー５を取り外すことができる。
【００４９】
上記実施例では第２突出部２１２に形成される位置決めボス２４２が２個形成されてい
るものを例示しているが、それに限定されるものではなく、１個のもの、さらに多数備え
ているものを例示することができる。位置決めボス２４１（アクトカバー５を装着する方
向に直角に広がるボス）を第１突出部２１１及び位置決めボス２４２（アクトカバー５を
装着する方向に広がるボス）を第２突出部２１２に形成したものを例示しているが、それ
に限定されるものではなく、逆になってもよいが、図３を見ればわかるように第１突出部
２１１は隣に支持部４が配置されるので、第１突出部２１１に位置決めボス２４１を形成
するほうが、アクトカバー５を着脱しやすい。
【産業上の利用可能性】
【００５０】
本考案の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００５１】
【図１】本考案にかかる光ディスク装置の配置図である。
【図２】光ヘッドの一例の配置図である。
【図３】本考案にかかる光ヘッドに用いられるアクチュエータの平面図である。
【図４】本発明にかかる光ヘッドに用いられるアクトベースの平面図である。
【図５】図４に示すアクトベースの正面図である。
【図６】本発明にかかる光ヘッドに用いられるアクトカバーの平面図である。
【図７】図６に示すアクトカバーの正面図である。
【図８】図（Ａ）〜図（Ｃ）はアクトベースにアクトカバーを着脱する手順の概略図である。
【図９】従来の光ヘッドに用いられるアクチュエータの平面図である。
【図１０】従来のアクトベースの平面図である。
【図１１】図１０に示すアクトベースの正面図である。
【符号の説明】
【００５２】
１  アクチュエータ
２  アクトベース
２１  突出部
２１１  第１突出部
２１２  第２突出部
２２  永久磁石
２３  貫通孔
２４  位置決めボス
２４１  位置決めボス
２４２  位置決めボス
３  レンズホルダ
３１  フォーカシングコイル
３２  トラッキングコイル
３３  チルトコイル
３４  ヨーク孔
４  支持部
５  アクトカバー
５１  係合部
５１１  第１係合部
５１２  第２係合部
５１３  係合孔
５２  カバー部
５３  弾性部
５４  レーザ孔
６  ワイヤーばね
７  ヨーク
【図１】
0003111412.tif 000003
【図２】
0003111412.tif 000004
【図３】
0003111412.tif 000005
【図４】
0003111412.tif 000006
【図５】
0003111412.tif 000007
【図６】
0003111412.tif 000008
【図７】
0003111412.tif 000009
【図８】
0003111412.tif 000010
【図９】
0003111412.tif 000011
【図１０】
0003111412.tif 000012
【図１１】
0003111412.tif 000013
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
【実用新案登録請求の範囲】
【請求項１】
回転している円盤状の光ディスクにレーザ光を照射することで、データの記録、読出を
行う光ディスク装置であって、
前記光ディスクを回転させるスピンドルモータと、前記光ディスクに対してレーザ光を
照射する光ヘッドと、信号を処理するための信号処理装置と、前記光ヘッドにて検出され
前記信号処理装置にて復号化された信号を外部の映像表示部に接続するための外部接続部
と、制御部とを備えており、
前記光ヘッドはベースと、前記レーザ光源より照射されたレーザ光を反射するミラーと
、前記ミラーにて反射されたレーザ光を平行光にするコリメータレンズと、前記光ディス
クで反射した光を分光するビームスプリッタと、光を受光する受光素子と、前記レーザ光
を前記光ディスクに照射するための対物レンズを保持するアクチュエータとを有しており
、
前記アクチュエータは、アクトベースと前記対物レンズを保持するレンズホルダと、前
記レンズホルダを支持するための支持部と、前記支持部に固定されるとともに前記レンズ
ホルダを弾性支持する直線状に形成されたワイヤーばねと、前記レンズホルダを挟んで配
置される一対の突出部と、前記突出部に取り付けられ前記レンズホルダ内部に磁界を発生
させるための永久磁石と、前記突出部と係合し、前記レンズホルダを覆うアクトカバーと
を有しており、
前記レンズホルダは、該レンズホルダを前記光ディスクのディスク面に対して垂直方向
に動かすためのフォーカシングコイルと、平行する方向に移動するためのトラッキングコ
イルと、傾き方向に移動するためのチルトコイルとを有しており、
前記突出部は前記アクトカバーと係合し該アクトカバーの位置決めを行う位置決めボス
を有しており、
前記アクトカバーは突出部と係合する係合部と、前記レーザホルダの上部に配置され、
レーザ光が通過する貫通孔を有するカバー部と、前記係合部に形成され前記突出部の位置
決めボスと係合する係合孔と、前記突出部及び前記突出部に取り付けられた永久磁石に接
触する弾性部とを有しており、
前記位置決めボスは傾斜しており、前記支持部側の突出部に形成された位置決めボスは
ディスク面と平行な方向に広がるように１個形成されており、他方の突出部に形成された
位置決めボスはディスク面に対して垂直な方向に遠ざかるに従って広がるように２個形成
されていることを特徴とする光ディスク装置。
【請求項２】
回転している円盤状の光ディスクにレーザ光を照射する光ヘッドにおいて、
前記光ヘッドはベースと、前記レーザ光源より照射されたレーザ光を反射するミラーと
、前記ミラーにて反射されたレーザ光を平行光にするコリメータレンズと、前記光ディス
クで反射した光を分光するビームスプリッタと、光を受光する受光素子と、前記レーザ光
を前記光ディスクに照射するための対物レンズを保持するアクチュエータとを有しており
、
前記アクチュエータは、アクトベースと前記対物レンズを保持するレンズホルダと、前
記レンズホルダを支持するための支持部と、前記支持部に固定されるとともに前記レンズ
ホルダを弾性支持する直線状に形成されたワイヤーばねと、前記レンズホルダを挟んで配
置される一対の突出部と、前記突出部に取り付けられ前記レンズホルダ内部に磁界を発生
させるための永久磁石と、前記突出部と係合し、前記レンズホルダを覆うアクトカバーと
を有しており、
前記レンズホルダは、該レンズホルダを前記光ディスクのディスク面に対して垂直方向
に動かすためのフォーカシングコイルと、平行する方向に移動するためのトラッキングコ
イルと、傾き方向に移動するためのチルトコイルとを有しており、
前記突出部は前記アクトカバーと係合し該アクトカバーの位置決めを行う位置決めボス
を有しており、
前記アクトカバーは突出部と係合する係合部と、前記レーザホルダの上部に配置され、
レーザ光が通過する貫通孔を有するカバー部と、前記係合部に形成され前記突出部の位置
決めボスと係合する係合孔と、前記突出部及び前記突出部に取り付けられた永久磁石に接
触する弾性部とを有しており、
前記位置決めボスは傾斜しており、前記支持部側の突出部に形成された位置決めボスは
ディスク面と平行な方向に広がるように１個形成されており、他方の突出部に形成された
位置決めボスはディスク面に対して垂直な方向に遠ざかるに従って広がるように２個形成
されていることを特徴とする光ヘッド。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】